(57)【特許請求の範囲】
【請求項１】
長手方向一端部に接片収容部、長手方向他端部にブロック収容部、これら収容部間にリフレクタ収容部を有するとともに、前記リフレクタ収容部を前側から覆う投光部を有したケースと、
このケースの前記長手方向一端部に取付けられて前記接片収容部に収容された接片と、
前記リフレクタ収容部に収容され、奥壁から前側の開口に向けて次第に開いて形成され、前記投光部に向けて開放されるとともに、長手方向両端部の夫々に側壁及び通孔を有する導電性のリフレクタと、
前記接片に電気的に接続される第１電極が取付けられた一端部を前記接片収容部に配設するとともに、前記電極とは異極の第２電極が取付けられた他端部を前記ブロック収容部に配設し、かつ、中間部を前記通孔に貫通させて前記ケースに収容された閃光放電管と、
巻線端子及び前記第２電極に電気的に接続される放電管端子が夫々取付けられたトリガーボビン、このボビンに巻き付けられた一次巻線、前記トリガーボビンに支持された筒部を有するコア、前記筒部の外周に巻き付けられた二次巻線、及び弾性変形が可能な圧接部を有して前記コアの側面に取付けられて前記二次巻線に接続されたトリガー接片を備え、前記筒部を前記閃光放電管の前記他端部の外周に嵌合して前記ブロック収容部に収容されるとともに、前記圧接部を前記リフレクタの一方の側壁に圧接させて前記ケースに内蔵されたトリガーブロックと、
前記リフレクタ収容部の前面開口に向かい合った面に設けられたばね受け溝に収容されて前記リフレクタを前記ばね受け溝の前方に付勢し前記奥壁を前記閃光放電管に押付けた付勢体と、
を具備することを特徴とする閃光発光ユニット。
【請求項２】
前記リフレクタと閃光放電管とトリガーブロックと付勢体を収容したケース、及び前記トリガーブロックのトリガーボビンが共に絶縁材料製であるとともに、前記トリガーボビンが前記ケースの長手方向他端を塞いでいることを特徴とする請求項１に記載の閃光発光ユニット。
【請求項３】
前記ケースが、前記リフレクタ収容部の後側に開放して形成された凹部と、第１位置決め部を有して前記凹部の一端に連続して設けられた第１基板支持部と、第２位置決め部を有して前記凹部の他端に連続して設けられた第２基板支持部とを有していることを特徴とする請求項２に記載の閃光発光ユニット。
【請求項４】
請求項３に記載の閃光発光ユニットと、
このユニットの第１、第２の基板支持部にわたり前記ケースの後側を覆って配置された回路基板、及び前記一次巻線に電荷を放出するトリガー用コンデンサを含んで前記回路基板に搭載されて前記凹部に収容された電気部品を備えてなる回路ユニットと、を具備することを特徴とする閃光発光装置。
【請求項５】
長手方向一端部に素子収容部、長手方向他端部にブロック収容部、これら収容部間にリフレクタ収容部と、接片収容部とを有するとともに、前記リフレクタ収容部を前側から覆う投光部及び前記投光部に対して前記ケースの長手方向に隣接するように設けられて前記素子収容部を前側から覆う他の投光部を有したケースと、
このケースの前記接片収容部に収容された接片と、
前記リフレクタ収容部に収容され、奥壁から前側の開口に向けて次第に開いて形成され、前記投光部に向けて開放されるとともに、長手方向両端部の夫々に側壁及び通孔を有する導電性のリフレクタと、
前記接片に電気的に接続される第１電極が取付けられた一端部を前記接片収容部に配設するとともに、前記電極とは異極の第２電極が取付けられた他端部を前記ブロック収容部に配設し、かつ、中間部を前記通孔に貫通させて前記ケースに収容された閃光放電管と、
巻線端子及び前記第２電極に電気的に接続される放電管端子が夫々取付けられたトリガーボビン、このボビンに巻き付けられた一次巻線、前記トリガーボビンに支持された筒部を有するコア、前記筒部の外周に巻き付けられた二次巻線、及び弾性変形が可能な圧接部を有して前記コアの側面に取付けられて前記二次巻線に接続されたトリガー接片を備え、前記筒部を前記閃光放電管の前記他端部の外周に嵌合して前記ブロック収容部に収容されるとともに、前記圧接部を前記リフレクタの一方の側壁に圧接させて前記ケースに内蔵されたトリガーブロックと、
前記リフレクタ収容部の前面開口に向かい合った面に設けられたばね受け溝に収容されて前記リフレクタを前記ばね受け溝の前方に付勢し前記奥壁を前記閃光放電管に押付けた付勢体と、を具備する閃光発光ユニットを有し、
前記ケースの後側を覆って配置された回路基板、及び前記一次巻線に電荷を放出するトリガー用コンデンサを含んで前記回路基板に搭載されて前記凹部に収容された電気部品を備えてなる回路ユニットを具備し、
前記回路基板の長手方向一端部が前記素子収容部を後側から塞ぐように設けられ、かつ、この長手方向一端部に前記素子収容部に収容された発光素子が搭載されていることを特徴とする閃光発光装置。
【発明の詳細な説明】
【技術分野】
【０００１】
本発明は、キセノン放電管等の閃光放電管を有する閃光発光ユニット、及びこの閃光発光ユニットを備えて例えばカメラ付きの携帯電話やカメラ等に組み込まれて使用される閃光発光装置に関する。
【背景技術】
【０００２】
両端部に陽極と陰極が配置されるとともに内部にキセノンガスが封入されたガラス管の外周面に透明電極をコーテングしたキセノン放電管を、反射笠を有した筐体に収納し、かつ、キセノン放電管の陰極側が設けられた端部外周にトリガーコイルを嵌合するように配設するとともに、導電性ペイント等を用いてトリガーコイルの二次巻線の端末を透明電極に接続した構成の閃光発光装置が知られている（例えば、特許文献１参照。）。
【０００３】
この閃光発光装置では、トリガーコイルに接続されたトリガーコンデンサの放電に伴い、トリガーコイルが発生する高圧のトリガー信号を、透明電極を介してキセノン放電管に与えて、このキセノン放電管を発光させる。この閃光発光装置は、キセノン放電管に対するトリガーコイルの配置により、トリガー信号のリークを防止できるとともに、小形化を図ることができる利点がある。
【先行技術文献】
【特許文献】
【０００４】
【特許文献１】特許第３７１０７９４号公報
【発明の概要】
【発明が解決しようとする課題】
【０００５】
しかし、特許文献１の閃光発光装置は、透明電極がコーテングされたキセノン放電管を用いる必要があるので、コストが高い。これとともに、透明電極とトリガーコイルを、導電性ペイントを用いて接続していることに加えて、キセノン放電管の両端部と筐体との間にフレキシブル絶縁材を挟んでキセノン放電管を筐体に固定しているので、閃光発光装置の組立作業性がよくない。又、筐体内に組み込まれたキセノン放電管やトリガーコイル等の内蔵部品は、筐体に対してがたつくことがないように設ける必要があるが、この点について特許文献１の閃光発光装置は不明である。
【０００６】
したがって、本発明の目的は、低コストで、組立性がよく、かつ、ケースに対して内蔵部品をがたつかないように組み込むことが可能な閃光発光ユニット、及びこの閃光発光ユニットを備えた閃光発光装置を提供することにある。
【課題を解決するための手段】
【０００７】
前記課題を解決するために、請求項１に係る発明の閃光発光ユニットは、投光部を有したケースの長手方向一端部に設けられた接片収容部に接片を収容し、ケースの長手方向他端部に設けられたブロック収容部にトリガーブロックを収容し、かつ、ケースの長手方向中間部に設けられて投光部で覆われるリフレクタ収容部に導電性のリフレクタを収容する。リフレクタは奥壁から前側の開口に向けて次第に開いて形成され、その両端部に側壁及び通孔を夫々有する。閃光放電管を通孔に通し、その一端部を接片収容部に配設して接片に接続するとともに、他端部をブロック収容部に配設する。トリガーブロックは、外周に巻線された筒部を有したコア、及び弾性変形が可能な圧接部を有しかつ二次巻線に接続されたトリガー接片を備える。筒部を閃光放電管の他端部の外周に嵌合させるとともに、圧接部をリフレクタの一方の側壁に圧接させて、ケースにトリガーブロックを内蔵する。リフレクタ収容部の前面開口に向かい合った面に設けられたばね受け溝に収容された付勢体を用いてリフレクタの奥壁を閃光放電管に押付けたことを特徴としている。
【０００８】
請求項２に係る発明の閃光発光ユニットは、請求項１において、更に、前記リフレクタと閃光放電管とトリガーブロックと付勢体を収容したケース、及び前記トリガーブロックのトリガーボビンが共に絶縁材料製であるとともに、前記トリガーボビンが前記ケースの長手方向他端を塞いでいることを特徴としている。
【０００９】
請求項３に係る発明の閃光発光ユニットは、請求項２において、更に、前記ケースが、前記リフレクタ収容部の後側に開放した凹部と、第１位置決め部を有して前記凹部の一端に連続して設けられた第１基板支持部と、第２位置決め部を有して前記凹部の他端に連続して設けられた第２基板支持部とを有していることを特徴としている。
【００１０】
又、前記課題を解決するために、請求項４に係る発明の閃光発光装置は、請求項３に記載の閃光発光ユニットと、このユニットの第１、第２の基板支持部にわたり前記ケースの後側を覆って配置された回路基板、及び一次巻線に電荷を放出するトリガー用コンデンサを含んで前記回路基板に搭載されて前記凹部に収容された電気部品を備えてなる回路ユニットと、を具備することを特徴としている。
【００１１】
請求項５に係る発明の閃光発光装置は、長手方向一端部に素子収容部、長手方向他端部にブロック収容部、これら収容部間にリフレクタ収容部と、接片収容部とを有するとともに、前記リフレクタ収容部を前側から覆う投光部及び前記投光部に対して前記ケースの長手方向に隣接するように設けられて前記素子収容部を前側から覆う他の投光部を有したケースと、このケースの前記接片収容部に収容された接片と、前記リフレクタ収容部に収容され、奥壁から前側の開口に向けて次第に開いて形成され、前記投光部に向けて開放されるとともに、長手方向両端部の夫々に側壁及び通孔を有する導電性のリフレクタと、前記接片に電気的に接続される第１電極が取付けられた一端部を前記接片収容部に配設するとともに、前記電極とは異極の第２電極が取付けられた他端部を前記ブロック収容部に配設し、かつ、中間部を前記通孔に貫通させて前記ケースに収容された閃光放電管と、巻線端子及び前記第２電極に電気的に接続される放電管端子が夫々取付けられたトリガーボビン、このボビンに巻き付けられた一次巻線、前記トリガーボビンに支持された筒部を有するコア、前記筒部の外周に巻き付けられた二次巻線、及び弾性変形が可能な圧接部を有して前記コアの側面に取付けられて前記二次巻線に接続されたトリガー接片を備え、前記筒部を前記閃光放電管の前記他端部の外周に嵌合して前記ブロック収容部に収容されるとともに、前記圧接部を前記リフレクタの一方の側壁に圧接させて前記ケースに内蔵されたトリガーブロックと、前記リフレクタ収容部の前面開口に向かい合った面に設けられたばね受け溝に収容されて前記リフレクタを前記ばね受け溝の前方に付勢し前記奥壁を前記閃光放電管に押付けた付勢体と、を具備する閃光発光ユニットを有し、前記ケースの後側を覆って配置された回路基板、及び前記一次巻線に電荷を放出するトリガー用コンデンサを含んで前記回路基板に搭載されて前記凹部に収容された電気部品を備えてなる回路ユニットを具備し、前記回路基板の長手方向一端部が前記素子収容部を後側から塞ぐように設けられ、かつ、この長手方向一端部に前記素子収容部に収容された発光素子が搭載されていることを特徴としている。
【発明の効果】
【００１２】
請求項１の発明によれば、低コストで、組立性がよく、かつ、ケースに対して内蔵部品をがたつかないように組み込むことが可能な閃光発光ユニットを提供できる、という効果がある。
【００１３】
請求項２の発明によれば、請求項１の発明において、更に、閃光発光動作に伴い高圧電流がケースの周りに漏れることを防止可能な閃光発光ユニットを提供できる、という効果がある。
【００１４】
請求項３の発明によれば、請求項２の発明において、更に、必要により、第１、第２の基板支持部に渡ってこれらに位置決めして回路基板を取付けることが可能で、かつ、回路基板が取付けられた状態で電気部品がユニットを大形化する要素にならない閃光発光ユニットを提供できる、という効果がある。
【００１５】
請求項４の発明によれば、低コストで、組立性がよく、かつ、ケースに対して内蔵部品をがたつかないように組み込むことが可能な請求項３の閃光発光ユニットを備えた閃光発光装置を提供できる、という効果がある。
【００１６】
請求項５の発明によれば、請求項４の発明において、更に、閃光発光管以外に発光をすることが可能な補助光源として発光素子を備えた閃光発光装置を提供できる、という効果がある。
【図面の簡単な説明】
【００１７】
【図１】本発明の第１実施形態に係る閃光発光ユニットを前側から見て示す斜視図である。
【図２】図１の閃光発光ユニットを後側から見て示す斜視図である。
【図３】図１の閃光発光ユニットを示す断面図である。
【図４】図３中Ｆ４−Ｆ４線に沿う断面図である。
【図５】図１の閃光発光ユニットを分解して示す斜視図である。
【図６】図１の閃光発光ユニットが備えるトリガーブロックを示す斜視図である。
【図７】図６のトリガーブロックを示す正面図である。
【図８】図６のトリガーブロックを分解して示す斜視図である。
【図９】図６のトリガーブロックの一部を分解して示す斜視図である。
【図１０】図６のトリガーブロックの一部を示す斜視図である。
【図１１】図１の閃光発光ユニットを備えた閃光発光装置の電気的構成を示す回路図である。
【図１２】本発明の第２実施形態に係る閃光発光装置を前側から見て示す斜視図である。
【図１３】図１２の閃光発光装置を後側から見て示す斜視図である。
【図１４】図１２の閃光発光装置を示す断面図である。
【図１５】図１４中Ｆ１５−Ｆ１５線に沿う断面図である。
【図１６】図１２の閃光発光装置を分解して示す斜視図である。
【発明を実施するための形態】
【００１８】
以下、本発明の第１実施形態について、図１〜図１１を参照して詳細に説明する。
【００１９】
図１〜図５中符号１は、例えばカメラ等に組み込まれる閃光発光装置（ストロボ発光装置）の発光部として使用される閃光発光ユニットを示している。この閃光発光ユニット１は、ケース２と、接片２５と、リフレクタ３１と、閃光発光管例えばキセノン放電管３５と、トリガーブロック４１と、付勢体例えば板ばね５１を具備している。
【００２０】
ケース２は、絶縁材料製例えば合成樹脂製の第１ケース部材３及び第２ケース部材１０を連結してなる。第１ケース部材３は例えばフロントケース部材として形成され、第２ケース部材１０はリアケース部材として形成されている。
【００２１】
例えば透明な合成樹脂の一体成形品からなる第１ケース部材３は、図４に示すように互に離間しかつ平行な壁部４と、端部カバー壁５と、投光部６を有している。この第１ケース部材３の後側は開放されている。
【００２２】
壁部４の夫々には組立用の係止孔７が設けられている。端部カバー壁５は、第１ケース部材３の長手方向の一端部をなして設けられている。第１ケース部材３の長手方向の他端部は開放されている。投光部６は第１ケース部材３の前壁をなして設けられている。この投光部６の前面はフラットであり、投光部６の後面は光を拡散させるためのプリズム面で形成されている。
【００２３】
第２ケース部材１０は不透明な合成樹脂の一体成形品からなる。図５に示すように第２ケース部材１０は、その長手方向の一端部に端壁１２及び接片取付け部１３を有している。端壁１２に通孔１２ａが開口されている。第２ケース部材１０の長手方向他端部は筒状のブロック収容部１１を形成していて、このブロック収容部１１は第２ケース部材１０の長手方向他端に開放されている。
【００２４】
第２ケース部材１０の長手方向一端部の後面は、第１基板支持部１４を形成している。この第１基板支持部１４は第１位置決め部例えば後向きに突出する板状の第１凸部１５（図２参照）を有している。第１基板支持部１４はその第１凸部１５を除いてフラットである。第２ケース部材１０の長手方向他端部からなるブロック収容部１１の後面は、第２基板支持部１６を形成している。この第２基板支持部１６は第２位置決め部例えば後向きに突出する円形の第２凸部１７（図２参照）を有している。第２基板支持部１６はその第２凸部１７を除いてフラットである。第１基板支持部１４と第２基板支持部１６の後方への突出高さは同じである。
【００２５】
第２ケース部材１０の長手方向両端部間にリフレクタ収容部１８が設けられている。リフレクタ収容部１８は、第２ケース部材１０の長手方向両端部にわたって設けられ、かつ、第２ケース部材１０の厚み方向に互に離間した壁部１８ａと、これら壁部１８ａの後部にわたって設けられた底壁１８ｂとで区画されていて、前方に開放されている（図４参照）。このリフレクタ収容部１８の長手方向一端に通孔１２ａが臨んでいるとともに、リフレクタ収容部１８の長手方向他端にブロック収容部１１が臨んでいる。
【００２６】
図４に示すように壁部１８ａの夫々の外面には断面形状が略三角形状の係止凸部１９が一体に突設されている。第２ケース部材１０の長手方向に直交する方向に沿った底壁１８ｂの断面形状は、略円弧状をなしていて、その内面、つまり、リフレクタ収容部１８の前面開口に向かい合った面にばね受け溝２０が設けられている。このばね受け溝２０は第２ケース部材１０の長手方向に延びている。
【００２７】
ケース２はその後側に開放する凹部２１を有している。即ち、凹部２１は、第２ケース部材１０の後部に長手方向に延びて形成されていて、後方に開放されている。凹部２１の長手方向一端にこの一端との間に段差を形成して第１基板支持部１４が連続しているとともに、凹部２１の長手方向他端にこの他端との間に段差を形成して第２基板支持部１６が連続している。この凹部２１の底は底壁１８ｂで形成されている。したがって、凹部２１の深さは均一ではなく、図４に示すように幅方向中央部が最も浅く、幅方向両端部側ほど深く形成されている。
【００２８】
凹部２１はケース２のデットスペースを利用して設けられている。即ち、第２基板支持部１６は後述のトリガーブロック４１を囲むための部位である。これとともに、この第２基板支持部１６に対応して第１基板支持部１４が設けられている。更に、底壁１８ｂは、トリガーブロック４１の中央部に一端部が嵌入する後述のキセノン放電管３５の後部周面に沿うようにこの周面を覆って設けられている。したがって、これらの位置関係により、第１基板支持部１４及び第２基板支持部１６と底壁１８ｂ間に、凹部２１として用いられるデッドスペースがケース２に設けられているとともに、この凹部２１を設けることに伴いケース２が大形化することはない。
【００２９】
第１ケース部材３の壁部４の外面に第２ケース部材１０の壁部１８ａが重なるように第１ケース部材３を第２ケース部材１０に被せて、係止孔７を係止凸部１９に夫々係合させることによって、第１ケース部材３と第２ケース部材１０とが連結されて、ケース２が組立てられている。この組立により、図３に示すように端部カバー壁５が端壁１２を覆って、ケース２の長手方向の一端部に接片収容部２３が形成されるとともに、投光部６がリフレクタ収容部１８を前側から閉じるように覆って配置される。
【００３０】
接片２５は、電極接続用であって、導電性でかつ可撓性を有する金属で形成されている。この接片２５は図３に示すように第２ケース部材１０の長手方向一端部の接片取付け部１３に取付けられている。接片２５の二股状（図５参照）をなした一端部は接片収容部２３に収容されていて、その二股間は通孔１２ａに対向している。接片２５の他端部は、第１凸部１５の近傍で第１基板支持部１４から突出されているとともに、第１基板支持部１４に向けて折り曲げられている。
【００３１】
リフレクタ３１は導電性を有する金属例えばアルミニウム等からなる板材を折り曲げて形成されていて、その内面は鏡面加工が施されている。図４に示すようにリフレクタ３１は、その奥壁３１ａから前側の開口に向けて次第に開いて形成されている。このリフレクタ３１の長手方向と直交する方向の奥壁３１ａの断面形状は略半円形である。図３及び図５に示すようにリフレクタ３１は、その長手方向両端部に側壁３１ｂ及び通孔３２を夫々有している。側壁３１ｂは前方側ほど相互間隔が開くように斜めに設けられている。通孔３２は側壁３１ｂと奥壁３１ａとの間に形成されている。
【００３２】
リフレクタ３１は、その奥壁３１ａが第２ケース部材１０の底壁１８ｂに対向するようにリフレクタ収容部１８内に収容されている。この収容状態で、図３に示すように一方の通孔３２は第２ケース部材１０の長手方向に沿って端壁１２の通孔１２ａに対向され、他方の通孔３２は第２ケース部材１０の長手方向に沿ってブロック収容部１１に対向されている。又、リフレクタ３１の前端開口はその前側から投光部６で覆われている。
【００３３】
キセノン放電管３５が有する直線状のガラスバルブ内には、キセノンガスを主成分としたガスが封入されている。図３に示すようにガラスバルブの一端にこの端を貫通した陽極３６が封止して取付けられ、同バルブの他端にこの端を貫通した陰極３７が取付けられている。このキセノン放電管３５のガラスバルブの外面を通る半径は、奥壁３１ａの円弧状内面の半径に略等しく、又、ガラスバルブの外径は通孔３２を遊挿できる大きさである。
【００３４】
キセノン放電管３５の陽極３６が固定された長手方向の一端部は、一方の通孔３２，１２ａを通って接片収容部２３内に配置されている。陽極３６は、接片２５の二股部に通されているとともに、この接片２５に半田３８（図３参照）を用いて接続されている。キセノン放電管３５の陰極３７が固定された長手方向の他端部は、他方の通孔３２を通ってブロック収容部１１内に配置されている。更に、キセノン放電管３５の長手方向中間部はリフレクタ３１の内側に配設されている。
【００３５】
トリガーブロック４１は、図６〜図１０に示すようにトリガーボビン４２、電極接続用の端子（放電管端子）４３、一対のトリガー端子（巻線端子）４４、一次巻線４５、コア４６、二次巻線４７、及びトリガー接片４８を備えて、ユニット化されている。
【００３６】
トリガーボビン４２は、絶縁材例えば合成樹脂の一体成形品であり、中央部に電極通孔４２ｄを有したボビンベース４２ａの一側面にボビン部４２ｂを設けて形成されている。電極通孔４２ｄはボビン部４２ｂの内側に連通されている。ボビンベース４２ａは、非円形で、かつ、ケース２の長手方向他端を塞ぐ大きさに形成されている。
【００３７】
図８に示すように端子４３とトリガー端子４４はいずれもコの字状をなしている。図１０に示すようにこれらの端子は、ボビンベース４２ａにインサート成形によって取付けられていて、ボビン部４２ｂとは反対側に突出されている。一対のトリガー端子４４は互に離れて配設されており、これらトリガー端子間に端子４３が配設されている。
【００３８】
図６及び図１０に示すように一次巻線４５はボビン部４２ｂに巻き付けられている。この一次巻線４５の巻線端末のうちの一方は、一対のトリガー端子４４のうちの一方に接続され、又、他方の巻線端末は他方のトリガー端子４４に接続されている。
【００３９】
コア４６は、円板状をなしたコアベース４６ａの一側面に円筒状の筒部４６ｂを一体に突設して形成されている。筒部４６ｂの内径は、キセノン放電管３５のガラスバルブの外周に嵌合できるように、このバルブの外径より大きい。筒部４６ｂはコアベース４６ａの中央部に開口されている。更に、コアベース４６ａは接片位置決め部４６ｃを有している。この接片位置決め部４６ｃは、例えばコアベース４６ａの開口の周りに沿って設けられた一対の円弧状突起で形成されている。
【００４０】
図１０に示すようにコア４６は、その筒部４６ｂの先端部をボビン部４２ｂの内周に嵌合してトリガーボビン４２に連結されている。この場合、圧入若しくは嵌合部を接着材で接着することで、前記連結が維持されるようになっている。更に、図９に示すように筒部４６ｂの先端部に設けられた回り止め溝４６ｄと、トリガーボビン４２に設けられた回り止め凸部４２ｃとが嵌合され、それにより、コア４６はトリガーボビン４２に回り止めされている。
【００４１】
図１０に示すように二次巻線４７は、コア４６の筒部４６ｂの外周に巻き付けられている。この二次巻線４７の一端は、一対のトリガー端子４４の内の一方に接続され、他端は次に説明するトリガー接片４８に接続されている。
【００４２】
導電性でかつ可撓性を有する金属からなるトリガー接片４８は、図７〜図９に示すように一部が切離された略欠円環状をなしているとともに、その外周から一体に突出された絡げ部４８ａを有している。更に、トリガー接片４８は切離された部分の片側に位置する一端部からなる圧接部４８ｂを有している。この圧接部４８ｂは弾性変形が可能となるように斜めに曲げられている。
【００４３】
図７等に示すようにトリガー端子４４の内周は、互に平行な直線状縁部と、これらを接続するように設けられた円弧状縁部とで形成されている。円弧状縁部は前記接片位置決め部４６ｃの円弧形状に略等しい。
【００４４】
トリガー端子４４は、その内周を一対の接片位置決め部４６ｃにわたって嵌合させることにより、コアベース４６ａの側面に接しかつ回り止めされてコア４６に支持されている。この場合、トリガー端子４４をコアベース４６ａに接着材で接着することも可能である。図６に示すようにトリガー端子４４がコア４６に支持された状態で、その圧接部４８ｂはコアベース４６ａの側面から嵌れている。したがって、圧接部４８ｂはコアベース４６ａの側面に近付く方向に弾性変形が可能である。又、図７に示すようにトリガー端子４４がコア４６に支持された状態で、その絡げ部４８ａはコアベース４６ａの外周より外に突出されている。この絡げ部４８ａには二次巻線４７の端末部が絡げられて半田付けにより接続されている。
【００４５】
前記トリガーブロック４１とキセノン放電管３５は以下のように組立てられて、閃光モジュールを構成している。この閃光モジュールは、図３に示すようにキセノン放電管３５の陰極３７側の端部の外周に、トリガーブロック４１が備えたコア４６の筒部４６ｂを嵌合させて、それにより、電極通孔４２ｄを貫通した陰極３７のアウターリード部３７ａと電極接続用の端子４３とを、半田４９で接合することで組立てられている。
【００４６】
ケース２に組み込まれたトリガーブロック４１の圧接部４８ｂは、リフレクタ３１のトリガーブロック４１に近接している方の側壁３１ｂの外面に圧接されている。それにより、二次巻線４７に誘起された高圧の二次電流（トリガー電流）がトリガー接片４８を経由してリフレクタ３１に与えられるようになっている。
【００４７】
曲率が緩い弧状をなす板ばね５１は、ばね受け溝２０に位置決めされて、底壁１８ｂとリフレクタ３１の奥壁３１ａの外面間に弾性変形した状態で挟まれている。それにより、この板ばね５１はリフレクタ３１を前方に付勢して設けられている。
【００４８】
次に、閃光発光ユニット１を組立てる手順を説明する。
【００４９】
まず、予め接片２５が取付けられた第２ケース部材１０を用意して、そのリフレクタ収容部１８に前方からリフレクタ３１を収容する。
【００５０】
次に、既に組立てられたトリガーブロック４１にキセノン放電管３５が組み合わされてなる前記閃光モジュールを用意する。この閃光モジュールは、キセノン放電管３５の陰極３７が設けられた一端部をコア４６の筒部４６ｂの内側に嵌合させるとともに、それにより互に近接配置された陰極３７のアウターリード部３７ａ（図３参照）と端子４３とを半田４９で接続することで、組立てられている。
【００５１】
用意された閃光モジュールを、そのキセノン放電管３５の陽極３６を先頭にして、第２ケース部材１０に対してブロック収容部１１側から接片２５に向けて挿入する。この挿入により、キセノン放電管３５は、リフレクタ３１のブロック収容部１１側に位置された側壁３１ｂの通孔３２に通された後に、リフレクタ３１の接片２５側に位置された側壁３１ｂの通孔３２に通される。
【００５２】
この直後に、キセノン放電管３５の陽極３６のアウターリード部３６ａ（図３参照）が、接片２５の二股部に通されて、キセノン放電管３５のガラスバルブの端が接片２５の側面に接触し、接片２５が多少撓んだ状態になる。これとともに、トリガーブロック４１は、ブロック収容部１１の所定位置に収容されて回り止めされ、かつ、爪係合などの図示しない保持手段でブロック収容部１１内にトリガーブロック４１が保持される。
【００５３】
この状態では、所定位置に収容されたトリガーブロック４１の絶縁材製のトリガーボビン４２が、その外周をブロック収容部１１の内周に接して第２ケース部材１０の長手方向の端を閉じて配設されている。更に、トリガー接片４８の圧接部４８ｂが、弾性変形を伴って、リフレクタ３１のブロック収容部１１側に位置された側壁３１ｂの外面に押付けられ、導電性のリフレクタ３１とトリガー接片４８が電気的に接続されている。これとともに、弾性変形された圧接部４８ｂによって、リフレクタ３１の接片２５側に位置された側壁３１ｂが、第２ケース部材１０の端壁１２に押付けられてがたつかないように保持されている。この状態で、前記係合手段が爪係合である場合、圧接部４８ｂ及び接片２５が復元しようとする力によって前記爪係合が強められる。更に、前記閃光モジュールは、撓んだ接片２５と前記図示しない保持手段とで、軸方向にがたつかないように保持されている。
【００５４】
次に、陽極３６のアウターリード部３６ａと接片２５とを半田３８により接合する。こうして第２ケース部材１０に対してリフレクタ３１及び閃光モジュールが組み込まれた状態では、板ばね５１で付勢されているリフレクタ３１の奥壁３１ａが、キセノン放電管３５のガラスバルブに後側から押付けられている。これにより、リフレクタ３１は閃光の出射方向に付勢されてがたつかないように保持されている。
【００５５】
最後に、第２ケース部材１０の前側から第１ケース部材３を後方に向けて被嵌し、その係止孔７を第２ケース部材１０の係止凸部１９に係合させる。それにより、第１ケース部材３が第２ケース部材１０に連結されてケース２が組立てられる。組立てが完了した状態は図３等に示されている。
【００５６】
この状態で、第１ケース部材３と第２ケース部材１０との間に、キセノン放電管３５の陽極３６側の端部を収容する接片収容部２３が形成されるとともに、陰極３７のアウターリード部３７ａを除いて前記閃光モジュールが、絶縁性のケース２に収容されている。又、第１ケース部材３の投光部６が、リフレクタ３１の前面開口に正対し、かつ、この前面開口の縁に非接触に配置されている。
【００５７】
以上の手順で組立てられる閃光発光ユニット１は、そのキセノン放電管３５とトリガーブロック４１を閃光モジュールとして組込むことができるので、組立上の部品点数及び工数が少ない。これとともに、閃光モジュールの組込みと同時に、導電性のリフレクタ３１とトリガーブロック４１の二次巻線４７とを電気的に接続できるので、導電ペイントを用いて接続する手間も乾燥のための時間を要することもない。したがって、閃光発光ユニット１の組立性が良い。
【００５８】
しかも、透明電極を有さない低コストのキセノン放電管３５に対して後述のように高圧のトリガー電流を与えて発光させることができるので、透明電極を有したコスト高なキセノン放電管に用いる必要がない。これに加えて、既述のように組立てが容易であるに伴い組立てコストを低減できる。したがって、閃光発光ユニット１のコストを低減できる。
【００５９】
更に、ケース２に対する閃光モジュールの挿入完了位置を、キセノン放電管３５への通電用の部品である接片２５で決めているので、位置決めのための部品を格別に必要としない。そのため、更にコストを低減することが可能である。
【００６０】
その上、組立てられた閃光発光ユニット１の前記閃光モジュールは、既述のように撓んだ状態の接片２５及び第２ケース部材１０に対するトリガーブロック４１の保持手段により保持されているとともに、リフレクタ３１は前方向に板ばね５１で付勢され、かつ、リフレクタ３１は横方向（リフレクタ３１の長手方向）にトリガー接片４８が有した圧接部４８ｂで付勢されている。したがって、ケース２の内蔵部品をがたつかないように閃光発光ユニット１を組立てることができるとともに、耐震性にも優れている。この場合、接片２５及びトリガー接片４８を利用しているので、更にコストを低減する上で好ましい。
【００６１】
又、以上のように組立てられた閃光発光ユニット１は、そのキセノン放電管３５の一案部をトリガーブロック４１が有したコア４６の筒部４６ｂの内側に嵌合した構成を備えていて、トリガーブロック４１がキセノン放電管３５の側方（長手方向）に連続するように配設されている。このため、形状的に大形なトリガーブロック４１がキセノン放電管３５に対して前側、又は後側、或いは上側、若しくは下側に配設される場合に比較して、閃光発光ユニット１をコンパクトに構成できる。
【００６２】
又、図２〜図４中符号６１は、閃光発光ユニット１とともに閃光発光装置６０（図４参照）を構成する回路ユニットを示している。回路ユニット６１は、図示しない配線パターンが設けられた回路基板６２に、配線パターンに接続して各種の電気部品６３（図４に一部のみ図示する。）を搭載して形成される。電気部品６３は表面実装部品であることが好ましい。電気部品６３のうちで相対的に高さが高い電気部品は、回路基板６２の幅方向中央部を避けて側縁に寄せて搭載されている。回路基板６２は第２ケース部材１０の全長に略等しい長さを有している。
【００６３】
回路ユニット６１は、その長手方向両端部を第１基板支持部１４と第２基板支持部１６に接触支持させて、これら第１基板支持部１４と第２基板支持部１６にわたって第２ケース部材１０の後側に取付けられる。この場合、回路基板６２に設けられた第１係合部であるスリット状の第１係合孔６２ａに第１凸部１５が嵌合されるとともに、回路基板６２に設けられた第２係合部である丸い第２係合孔６２ｂに第２凸部１７が嵌合されて、回路ユニット６１が第２ケース部材１０に位置決めされる。なお、接片２５は第１係合孔６２ａに貫通されて、回路基板６２に配線パターンに半田付けにより接続されるようになっている。
【００６４】
回路基板６２がケース２の後側を覆ってこのケース２に取付けられた状態で、この回路基板６２の部品実装面は第２ケース部材１０の底壁１８ｂ外面に対向される。したがって、各種電気部品６３がケース２の凹部２１に収容されて、これら電気部品を回路基板６２で保護できるようになっている。電気部品６３のうちで相対的に高さが高い電気部品は、デッドスペースである凹部２１の深さが深い部位に収容される。こうした収容により、第２ケース部材１０に回路ユニット６１が取付けられて閃光発光装置６０が形成された場合でも、この閃光発光装置６０の前後方向の厚みが増えることがない。
【００６５】
こうして凹部２１に電気部品６３が収納されることにより、電気部品が閃光発光装置６０の外方に向けて突出されることがない。これとともに、回路基板６２の厚みは第１凸部１５及び第２凸部１７の高さ以下であるので、回路基板６２は第２ケース部材１０の前後方向の厚み幅内に収められる。これにより、第２ケース部材１０に回路ユニット６１が取付けられて閃光発光装置６０が形成された場合でも、この閃光発光装置６０の前後方向の厚みが増えることがない。したがって、閃光発光ユニット１の前後方向の厚みによって閃光発光装置６０の前後方向の厚みを規定できる。言い換えれば、閃光発光装置６０を前後方向にコンパクトにできる。
【００６６】
図１１は閃光発光装置６０の回路構成を示している。バッテリー６５に昇圧回路６６の入力端子が接続されている。この昇圧回路６６の出力端子に大容量の電解コンデンサ６７が接続されている。電解コンデンサ６７の出力電圧は２００Ｖ〜３５０Ｖである。この電解コンデンサ６７の一方の出力端子６７ａはキセノン放電管３５の陽極３６に接続され、電解コンデンサ６７の他方の出力端子６７ｂはキセノン放電管３５の陰極３７に接続されている。
【００６７】
更に、出力端子６７ａ，６７ｂ間に、抵抗６８と、トリガー用コンデンサ６９と、トリガーブロック４１の一次巻線４５との直列回路が接続されていて、トリガー用コンデンサ６９と一次巻線４５との直列回路にスイッチ７０が並列に接続されている。又、トリガーブロック４１の二次巻線４７の一端は既述のようにリフレクタ３１に電気的に接続され、二次巻線４７の他端は、出力端子６７ｂ及びキセノン放電管３５の陰極３７に接続されている。
【００６８】
このような回路をなす各種電気部品のうちで、バッテリー６５及びスイッチ７０以外の電気部品が回路基板６２に搭載されている。又、スイッチ７０はカメラの操作に連動して開閉される。
【００６９】
こうした回路構成においては、抵抗６８とトリガー用コンデンサ６９と一次巻線４５からなる直列回路に電解コンデンサ６７からの充電電流が流れて、トリガー用コンデンサ６９が充電される。この充電は、コンデンサ６９の容量が小さいので短時間で終了する。これとともに、電解コンデンサ６７の電圧は、キセノン放電管３５の陽極３６と陰極３７との間に印加されている。
【００７０】
この状態で、スイッチ７０が閉じられると、トリガー用コンデンサ６９に充電されている電荷がスイッチ７０及び一次巻線４５を介して放電されるに伴い、トリガーブロック４１の二次巻線４７に高圧（２００Ｖ〜３５０Ｖ）のトリガー信号が発生する。このトリガー信号は、トリガーブロック４１のトリガー接片４８を経由してリフレクタ３１に導かれる。そのため、キセノン放電管３５内のキセノンガスが電離されるとともに、陰極３７から電子が放出されて電離現象が一層強められる。この電離現象により陽極３６から陰極３７に一挙に高圧電流が流れて、キセノン放電管３５が発光される。そして、発光された光は、ケース２の投光部６を直接透過し、或いはリフレクタ３１で反射された後に投光部６を透過して、被写体に照射される。
【００７１】
以上の発光動作をする閃光発光ユニット１において、閃光モジュールを内蔵したケース２は絶縁材製であるとともに、このケース２の長手方向一端部は、閃光モジュールが備えた絶縁材製のトリガーボビン４２で閉じられているので、二次巻線４７に誘起された高圧のトリガー電流が周囲に漏れることを防止することができる。
【００７２】
図１２〜図１６は本発明の第２実施形態を示している。第２実施形態は以下説明する事項が第１実施形態とは相違しており、それ以外の構成は第１実施形態と同じであるため、第１実施形態と同一ないしは同様の機能を奏する構成については、第１実施形態と同じ符号を付してその説明を省略する。
【００７３】
第２実施形態で、ケース２はその長手方向一端部に素子収容部２７（図１４参照）を有している。素子収容部２７は接片収容部２３に並んで隣接されていて、後方に開放されている。これら接片収容部２３と素子収容部２７は、第１ケース部材３の端部カバー壁５と、第２ケース部材１０の長手方向一端部をなした枠状部１０ａ（図１６参照）との間に形成されていて、端部カバー壁５の内部に設けられた仕切り板３ａ（図１４参照）で仕切られている。
【００７４】
ケース２はその長手方向端部に他の端部カバー壁８を有している。他の端部カバー壁８は、絶縁性の第１ケース部材３の長手方向他端部に一体に形成されていて、端子４３及びトリガー端子４４の一端部を除いてトリガーブロック４１をその端面方向から覆うように設けられている。更に、絶縁性の回路基板６２は端子４３及びトリガー端子４４の前記一端部をケース２の後側から覆うカバー端部６２ｃを有している。こうした他の端部カバー壁８及びカバー端部６２ｃを設けたことによって、端子４３及びトリガー端子４４に対する絶縁性能、及び二次巻線４７に発生する高圧電流がケース２外部に漏れることを一層確実にできる。
【００７５】
ケース２の第１ケース部材３は、透明な合成樹脂の成形品であるが、リフレクタ３１の前面開口に対向する投光部６、及び素子収容部２７に前側から対向する他の投光部３ｃ（図１４及び図１６参照）のみが透明で、これら以外の部位は梨地処理が施されている。それにより、投光部６，３ｃを通してケース２の内部が透視されることが防止されて、体裁を向上できる。なお、梨地処理に代えて、投光部６，３ｃを透明樹脂で形成するとともに、これら以外の部位を色付き樹脂で形成して、内部構造の視認を防止することもできるが、梨地処理の方が低コストで済む利点がある。
【００７６】
又、前記カバー端部６２ｃと反対側に位置する回路基板６２は端部（長手方向一端部）６２ｄは、素子収容部２７の後面開口を後側から塞ぐように設けられている。この端部６２ｄに発光素子例えば砲弾型のＬＥＤ（発光ダイオード）７５が搭載されている。ＬＥＤ７５は第２ケース部材１０の枠状部１０ａを通って素子収容部２７に収容されているとともに、その出射側の端部は投光部位３ｃに対向されている。
【００７７】
ＬＥＤ７５は、例えばキセノン放電管３５の発光直前に、点滅してキセノン放電管３５の発光を予告する補助光源として使用され、若しくは、連続点灯される照明用の補助光源として使用される。そして、こうした機能を実現するための電気部品も回路基板６２に搭載されている。
【００７８】
又、第２実施形態では、図１３に示すように第１凸部１５が通る第１係合孔（第１係合部）６２ａと、接片２５が通る接片通孔６２ｅとは分けて設けられている。更に、第１凸部１５は円形の凸部で形成され、第１係合孔６２ａは円形の孔で形成されている。
【００７９】
第２実施形態の閃光発光ユニット１及びこれを備えた閃光発光装置６０は、以上説明した事項以外の構成は図示されない構成を含めて第１実施形態と同じである。したがって、この第２実施形態においても、第１実施形態で既に説明した理由によって、従来の課題を解決して、低コストで、組立性がよく、かつ、ケース２への内蔵部品をがたつかないように組み込むことが可能な閃光発光ユニット１及びこれを備えた閃光発光装置６０を提供できる。
【符号の説明】
【００８０】
１…閃光発光ユニット、２…ケース、３ｃ…他の投光部、６…投光部、１１…ブロック収容部、１４…第１基板支持部、１５…第１凸部（第１位置決め部）、１６…第２基板支持部、１７…第２凸部（第２位置決め部）、１８…リフレクタ収容部、２１…凹部、２３…接片収容部、２５…接片、３１…リフレクタ、３１ａ…奥壁、３１ｂ…側壁、３２…通孔、３５…キセノン放電管（閃光発光管）、３６…陽極（第１電極）、３７…陰極（第２電極）、４１…トリガーブロック、４２…トリガーボビン、４３…端子（放電端子）、４４…トリガー端子（巻線端子）、４５…一次巻線、４６…コア、４６ｂ…筒部、４７…二次巻線、４８…トリガー接片、４８ｂ…圧接部、５１…板ばね、６０…閃光発光装置、６１…回路ユニット、６２…回路基板、６６…昇圧回路（電気部品）、６７…電解コンデンサ（電気部品）、６８…抵抗（電気部品）、６９…トリガー用コンデンサ（電気部品）、７５…ＬＥＤ（発光素子）
【図１】
0005608497.tif 000002
【図２】
0005608497.tif 000003
【図３】
0005608497.tif 000004
【図４】
0005608497.tif 000005
【図５】
0005608497.tif 000006
【図６】
0005608497.tif 000007
【図７】
0005608497.tif 000008
【図８】
0005608497.tif 000009
【図９】
0005608497.tif 000010
【図１０】
0005608497.tif 000011
【図１１】
0005608497.tif 000012
【図１２】
0005608497.tif 000013
【図１３】
0005608497.tif 000014
【図１４】
0005608497.tif 000015
【図１５】
0005608497.tif 000016
【図１６】
0005608497.tif 000017